Podtech/llm-jp-corpus-v4-ja_patent huggingface dataset:
(57)【要約】      （修正有）【課題】現在付いている１１０Ｗの管球を取り外し、６５Ｗ管球〜１６Ｗ管球、又は、ＬＥＤ管を簡単に、素人が差し込む事が出来る方法を提供する。【解決手段】１１０Ｗ蛍光灯灯具用エコソケットの両端にＲＸ１7ｄ口金１を有し、内部の管球のＧ１３口金４を受けるソケット３を２個有し、更に、両端のＲＸ１7ｄ口金１とソケット３の２個とを電線２で接続し、管球を挿しこみ、落下防止バンド５で固定する。さらに１１０Ｗ蛍光灯灯具用エコソケットに管球を挿しこんだ状態の物を１１０Ｗ蛍光灯灯具にセットし、落下防止バンド７で固定する。【選択図】図２
2012243654.tif 000002
【特許請求の範囲】
【請求項１】
全長を直管型の１１０Ｗの蛍光灯の管球と同じ長さとし、両端に
１１０Ｗ蛍光灯のソケットに挿しこみ可能な口金を有する事を特徴
とする１１０Ｗ蛍光灯灯具用エコソケット。
【請求項２】
中間部に挿しこむ直管型管球、又は、ＬＥＤ直管型管球の両端に、
前記直管型管球、又は、ＬＥＤ直管型管球の両端に挿しこみ可能なソケットを有し、前記口金と前記ソケットを電線で接続する事を特徴とする請求項１に記載の１１０Ｗ蛍光灯灯具用エコソケット。
【請求項３】
前記直管型管球、又は、ＬＥＤ型直管型管球用の反射板と落下防止
バンドを有する事を特徴とする請求項１、２に記載の
１１０Ｗ蛍光灯灯具用エコソケット。
【発明の詳細な説明】
【技術分野】
【０００１】
本発明は、省エネルギーの為に、直管型１１０Ｗ蛍光灯の灯具の
１１０Ｗ管球を取り外し、６５Ｗ管球〜１６Ｗ管球、又は、ＬＥＤ管を
挿す事で省エネルギーする方法を提供するもので有る。
【背景技術】
【０００２】
現在、１１０Ｗ蛍光灯は、工場、店舗や事務所等で照明用として
大量に使用されています。
【０００３】
１１０Ｗ蛍光灯は、照度が明るいので、幅広く採用されています。
【０００４】
近年、省エネルギーが叫ばれ、１１０Ｗ蛍光灯は、消費電力が大きく、
省エネルギーの為に、照明を消灯したり、１１０Ｗ蛍光灯が撤去
されたり、点灯を間引きされたりしております。  
１１０Ｗ蛍光灯灯具を撤去せず、１１０Ｗ管球を取り外し、その後に
６５Ｗ管球〜１６Ｗ管球、又は、ＬＥＤ管等を挿して、点灯が出来れば、
少し暗くなるけど、省エネルギーに成ります。
【先行技術文献】
【特許文献】
【０００５】
【特許文献１】特開２００８−６００２７
【発明の概要】
【発明が解決しようとする課題】
【０００６】
店舗等で照明を消灯したり、撤去したり、点灯を間引きしたり
することは、店舗全体が暗くなり、お客様に悪い印象を与えます。
【０００７】
現在、直管型照明用蛍光灯としては、１１０Ｗ〜１６Ｗ迄規格品が
有ります。
【０００８】
１１０Ｗ蛍光灯灯具を撤去したり間引きしたりするのではなく、
１１０Ｗ管球を取り外し、その後に６５Ｗ管球〜１６Ｗ管球、又は、
ＬＥＤ管等を挿して、点灯が出来れば、暗くなるけど、省エネルギー
に成ります。
【０００９】
本発明は、現在付いている１１０Ｗの管球を取り外し、
６５Ｗ管球〜１６Ｗ管球、又は、ＬＥＤ管を簡単に、素人が差し込む事
が出来る方法を提供する事で、省エネを推進するものです。
【００１０】
１１０Ｗ蛍光灯管球の寸法は、２,３６７ｍｍで、口金は、ＲＸ１７Ｄ
です。
【００１１】
例えば、４０Ｗの蛍光灯管球の寸法は、１,１９８ｍｍで、口金は、
Ｇ１３です。
【００１２】
１１０Ｗ蛍光灯灯具に４０Ｗ管球を挿そうとしても短いし、口金も合い  
ません。
【課題を解決するための手段】
【００１３】
全長を直管型の１１０Ｗの蛍光灯の管球と同じ長さとし、両端に
１１０Ｗ蛍光灯のソケットに挿しこみ可能なＲＸ17d口金を有し、
１１０Ｗ蛍光灯灯具に抜き差し出来る、１１０Ｗ蛍光灯灯具用
エコソケットを準備します。
【００１４】
１１０Ｗ蛍光灯灯具用エコソケットの中間部に挿しこむ直管型管球、又は、ＬＥＤ直管型管球の両端に挿しこみ可能なソケットを有し、そのソケットとＲＸ17d口金を電線で接続する
１１０Ｗ蛍光灯灯具用エコソケット。
【００１５】
前記直管型管球、又は、ＬＥＤ型直管型管球用の反射板を取り付けて、
集光して照射して、照明効率を上げる。
落下防止バンドを取り付けて、管球の落下を防止する。
【発明の効果】
【００１６】
１１０Ｗ蛍光灯を消灯したり、撤去したりせずに、１１０Ｗ蛍光灯
管球を取り外し、１１０Ｗ蛍光灯灯具用エコソケットを挿して、
１１０Ｗ蛍光灯灯具用エコソケットに取り付けたい管球を挿す事で、
省エネルギーが実現する。
【図面の簡単な説明】
【００１７】
【図１】通常の１１０Ｗ蛍光灯灯具と管球
【図２】１１０Ｗ蛍光灯灯具用エコソケットと管球と１１０Ｗ蛍光灯灯具
【符号の説明】
【００１８】
１          １１０Ｗ蛍光灯管球のＲＸ１7ｄ口金
２          電線
３          Ｇ１３口金用ソケット
４          Ｇ１３口金
５          管球用落下防止バンド
６          管球
７          １１０Ｗ蛍光灯灯具用エコソケット用落下防止バンド
８            反射板
【発明を実施するための形態】
【００１９】
以下、本発明の実施の形態を図に基づいて説明する。
図１は、通常の１１０Ｗ蛍光灯灯具と管球です。
１）は、１１０Ｗ蛍光灯器具と１１０Ｗ管球のセットしてある図面
です。
２）は、１１０Ｗ蛍光灯器具の図面です。
３）は、１１０Ｗ管球の図面です。管球部の全長は、２，３６７ｍｍで、両端にＲＸ１７ｄ口金が付いています。
【００２０】
図２は、１１０Ｗ蛍光灯灯具用エコソケットと管球と１１０Ｗ
蛍光灯灯具との詳細です。
４）は、１１０Ｗ蛍光灯灯具用エコソケットです。全長は、
２，３６７ｍｍで、両端にＲＸ１7ｄ口金１を有し、内部の管球の
Ｇ１３口金を受けるソケット３を２個有し、更に、両端の
ＲＸ１7ｄ口金１とソケット３の２個とを電線２で接続します。
５）は、１１０Ｗ蛍光灯灯具用エコソケットに管球を挿しこんだ図面です。落下防止バンド５で固定します。
６）は、１１０Ｗ蛍光灯灯具に反射板８を取り付けた後、１１０Ｗ
蛍光灯灯具用エコソケットに管球を挿しこんだ状態の物を
１１０Ｗ蛍光灯灯具にセットし、落下防止バンド７で固定します。
【図１】
2012243654.tif 000003
【図２】
2012243654.tif 000004
(57)【要約】【課題】  電源側および負荷側における複数の端子の過熱を未然に防止できる回路遮断器を提供する。【解決手段】  電源側端子ユニット２において、３つの端子２１に端子部品２２，２３の接触不良を検出する検出回路２４を設ける。負荷側端子ユニット３において、３つの端子３１に端子部品３２，３３の接触不良を検出する検出回路３４を設ける。各検出回路２４，３４の出力線２５，３５を一つの制御回路１１に接続する。制御回路１１は、検出回路２４，３４のうちどれか一つでも接触不良を示す信号を出力したときに、出力回路１８から電源回路１４にトリップ指令を出力し、トリップコイル１３により主接点５を一斉に開放し、電源側端子２１と負荷側端子３１との間の電路を遮断する制御を行う。【選択図】        図１
2012243666.tif 000002
【特許請求の範囲】
【請求項１】
端子部品の接触不良を検出する検出回路を複数の電源側端子と複数の負荷側端子のそれぞれに設け、各検出回路の出力線を一つの制御回路に接続し、少なくとも一つの検出回路が接触不良を示す信号を出力したときに、前記制御回路が前記電源側端子と前記負荷側端子との間の電路を遮断する制御を行うことを特徴とする回路遮断器。
【発明の詳細な説明】
【技術分野】
【０００１】
本発明は、端子部品の接触不良を検出する検出回路を備えた回路遮断器に関する。
【背景技術】
【０００２】
回路遮断器の端子は、端子ネジの緩みによって電源座と圧着端子との接触状態が不安定になると、アーク放電を伴って過熱状態となる。端子の過熱を予防するために、従来、電源側端子に検出回路を装備した回路遮断器が知られている。
【０００３】
例えば、特許文献１の回路遮断器は、図２に示すような検出回路５１の両端を電源側端子の端子ネジ５２と電源座５３に接続し、これらの端子部品の電位差に基づいて、電源座５３と圧着端子５５との接触不良を判定している。
【先行技術文献】
【特許文献】
【０００４】
【特許文献１】特開２００９−２４５８３６号公報
【発明の概要】
【発明が解決しようとする課題】
【０００５】
しかし、端子の接触不良は、端子ネジを使用すれば、電源側のみならず負荷側端子でも同様に発生するが、従来の回路遮断器は、検出回路５１を電源側端子のみに設けているため、負荷側端子の過熱を防止できないという問題点があった。
【０００６】
本発明の目的は、電源側および負荷側、両方の端子の過熱を未然に防止できる回路遮断器を提供することにある。
【課題を解決するための手段】
【０００７】
上記課題を解決するために、本発明の回路遮断器は、端子部品の接触不良を検出する検出回路を複数の電源側端子と複数の負荷側端子のそれぞれに設け、各検出回路の出力線を一つの制御回路に接続し、少なくとも一つの検出回路が接触不良を示す信号を出力したときに、制御回路が電源側端子と負荷側端子との間の電路を遮断する制御を行うことを特徴とする。
【発明の効果】
【０００８】
本発明の回路遮断器によれば、複数の端子の接触不良を別々の検出回路で検出し、複数の検出回路の出力を一つの制御回路で監視し、電源側および負荷側すべての端子の過熱を未然に防止できるという効果がある。
【図面の簡単な説明】
【０００９】
【図１】本発明の一実施形態を示す回路遮断器の配線図である。
【図２】従来の回路遮断器の検出回路を示す回路図である。
【発明を実施するための形態】
【００１０】
以下、本発明の一実施形態を図面に基づいて説明する。図１に示す単相三線式電路用の回路遮断器１は、遮断器ケース（図示略）の一端に電源側端子ユニット２を備え、遮断器ケースの他端に負荷側端子ユニット３を備えている。
【００１１】
電源側端子ユニット２には、３つの電源側端子２１が配設されている。各電源側端子２１には、電源線の圧着端子５５（図２参照）を締め付けるための端子ネジ２２および電源座２３と、これらの端子部品の接触不良を検出する検出回路２４とが設けられている。
【００１２】
負荷側端子ユニット３には、同じく３つの負荷側端子３１が配設されている。各負荷側端子３１には、負荷配線の圧着端子（図示略）を締め付ける端子ネジ３２および電源座３３と、これらの端子部品の接触不良を検出する検出回路３４とが設けられている。
【００１３】
電源側端子２１と負荷側端子３１との間には、３本の電線（電圧線Ｌ１，Ｌ２、中性線Ｎ）４が配線されている。電線４上には、電路を開閉する主接点５と、電路に流れる過電流に感応するバイメタル６（電圧線Ｌ１，Ｌ２のみ）とが設けられている。
【００１４】
回路遮断器１の制御回路１１には、統合入力回路１２と電源回路１４とが設けられている。統合入力回路１２には、合計６つの検出回路２４，３４の出力線２５，３５が接続されている。電源回路１４は、主接点５よりも２次側（負荷側）の電路から取得した電力でトリップコイル１３を駆動する。
【００１５】
また、制御回路１１には、検出回路２４，３４の出力から平均値を求める平均値回路１５と、平均値を閾値と比較して接触不良を判定する判定回路１６と、判定結果を所定時間保持する自己保持回路１７と、その時間中に電源回路１４にトリップ指令を出力する出力回路１８とが設けられている。
【００１６】
そして、制御回路１１は、６つの検出回路２４，３４のうち何れか一つでも接触不良を示す信号を出力したときに、出力回路１８から電源回路１４にトリップ指令を出力し、トリップコイル１３により３つの主接点５を一斉に開放し、電源側端子２１と負荷側端子３１との間の電路を遮断する制御を行うようになっている。
【００１７】
なお、検出回路２４，３４は、特定の構成に限定されないが、例えば図２に示すように、フォトカプラ５４を用いた入出力絶縁型回路を好ましく使用できる。また、端子部品としては、圧着端子５５、端子ネジ２２，３２や電源座２３，３３のほかに、外部配線をワンタッチで接続可能なプラグイン方式の部品も使用できる。
【００１８】
上記構成の回路遮断器１によれば、電源側端子２１と負荷側端子３１の両方において、端子部品の接触不良をそれぞれに付設した検出回路２４，３４で的確に検出できる。また、合計６つの検出回路２４，３４の出力を一つの制御回路１１で簡易に監視できる。従って、単相三線式電路用の回路遮断器１において、端子部品の緩みや変形等に伴う電源側および負荷側端子ユニット２，３の発熱または過熱を未然に防止できる。
【００１９】
本発明の回路遮断器は、単相三線式電路のみに適用されるものではなく、単相二線式電路、三相三線式電路などの各種電路にも応用できる。その他、本発明は、上記実施形態に限定されるものではなく、発明の趣旨を逸脱しない範囲で、各部の構成を適宜に変更して実施することも可能である。
【符号の説明】
【００２０】
１    回路遮断器
２    電源側端子ユニット
３    負荷側端子ユニット
４    電線
５    主接点
１１    制御回路
１３    トリップコイル
２１    電源側端子
２２    端子ネジ
２３    電源座
２４    検出回路
２５    出力線
３１    負荷側端子
３２    端子ネジ
３３    電源座
３４    検出回路
３５    出力線
【図１】
2012243666.tif 000003
【図２】
2012243666.tif 000004
(57)【要約】【課題】手でタブレットデバイスを持ち続ける時の疲れや、手にかけられている負担を緩和するための用具として提供する。【解決手段】人間工学の考えを基づいて、円弧状部分を設けたことにより、手が最良の姿勢でタブレットデバイスを持てられることと、タブレットデバイスを持ち続ける時でも、疲れにくくになるのが本発明の特徴である。【選択図】図５
2012243295.tif 000002
【特許請求の範囲】
【請求項１】
キャッチャー（１）の上部に半円形の開口部（２）を設け、キャッチャーの縦部分に開口部（３）を設け、円弧状の部分（４）の裏側に板バネ（５）を取付け、円弧状部分の延長部（６）の背面に拡張用ボタン（７）を取付けた、タブレットデバイスキャッチャーである。
【請求項２】
円弧状部分の延長部（６）を省略したタブレットデバイスキャッチャーである
【請求項３】
円弧状部分の延長部（６）を円形や、多角形などの形にした請求項１のタブレットデバイスキャッチャーである。
【発明の詳細な説明】
【技術分野】
【０００１】  この発明は、タブレットデバイスにつけて、持ちやすく、疲れにくくするためのものである。
【背景技術】
【０００２】  ｉｐａｄをはじめとするタブレットデバイスが薄型化と軽量化で数多く生産されている。
【発明の概要】
【発明が解決しようとする課題】
【０００３】  今のｉｐａｄなどのタブレットデバイスが、薄さを追求したことで、以下の欠点が生じている。
（イ）    手が最良の姿勢で持てられない
（ロ）    持ち続けると手が疲れやすい。
本発明は以上のような欠点を緩和するためになされたものである。
【課題を解決するための手段】
【０００４】  本体にキャッチャー部分（１）と円弧状部分（４）を設けて、その裏側には板バネ（５）を取付ける、そして、円弧状部分の延長部（６）を設け、延長部（６）に拡張用ボタンを取付ける。
本発明は以上のような構成によりタブレットデバイスキャッチャーである。
【発明の効果】
【０００５】  本発明は人間工学の考えに基づいて、円弧状な設計により、手にぴったりとフィットするので手にかかる負担を軽減し、持ちやすくする同時に、疲れを感じにくくする効果がある。
【図面の簡単な説明】
【０００６】
【図１】  本発明の平面図である。
【図２】  本発明の左側面図である
【図３】  本発明の右側面図である
【図４】  本発明の全面側面図である
【図５】  本発明の斜面図である
【符号の説明】
【０００７】１  キャッチャー      ２  半円形開口部      ３  開口部      ４  円弧状部分
５  板バネ        ６  円弧状部分の延長部        ７  ボタン
【図１】
2012243295.tif 000003
【図２】
2012243295.tif 000004
【図３】
2012243295.tif 000005
【図４】
2012243295.tif 000006
【図５】
2012243295.tif 000007
(57)【要約】      （修正有）【課題】サイクル型ネットワークシステムを提供する。【解決手段】購入は最初の一度のみとし、毎月の購入、出費をなくし、会員が脱落に追い込まれることを防止する。配当支給の財源は、最初の一度の売上げの配当可能範囲を数段階レベルで分配配当とする、一定期間を想定して参加者増加のスピードに合わせサイクルの大きさを決定付ける。サイクルが、参加のスピードが速くて、大きくなりすぎる時は、その都度ピラミットの頂上部分が満額受給して脱退の際、下位の繰り上がりをなくし、２分割をしてゆく。更に続行したければ、新規に参加も出来、サイクルシステムが完成する。【選択図】図１
2012243297.tif 000002
【特許請求の範囲】
【請求項１】
ネットワークビジネスにおいて、人口が有限であり、無制限に成長することは、ありえないネットワークビジネスを、支給配当の最高限度額を決め、その支給額に到達した上位者から、逐次システムから脱退させることにより、抜けたシステムに、直下の登録者を順次繰り上げてゆくことで、どなたもシステムの最上段を経験しながら脱退してゆく、システムのサイクル化をはかり、新陳代謝を繰り返した、サイクル型ネットワークビジネスシステム。
【発明の詳細な説明】
【発明の詳細な説明】
【技術分野】
【０００１】  この発明は、有限の人口における、ネットワークビジネスを、サイクル化し、新陳代謝を繰り返し、継続化を図るネットワークビジネスシステムに関する。
【背景技術】
【０００２】  従来より存在する、２以上の倍率で増加する下部会員からの、自分が支払った以上の金品の配当を受けることで成り立つネットワークビジネス、人口が有限で、無制限に成長はすることのないシステムある。本システムが示すように一定の支給限度額を決め、満額支給された時点で脱退とし、参加登録の位置の固定化を無くしたサイクル型のネットワークビジネスシステムは現在のところ見当たらない。
【発明が解決しょうとする課題】
【０００３】  従来のネットワークビジネスは、殆ど参加時登録されたポジションは固定的で、先に登録された者が、その優位的位置を確保され続け、その後の参加登録者は、下位のポジションを固定化され、優位になることはありえない、参加時期による優劣が継続される。そのため下位参加者は目的を上げ、収益の達成することは容易ならず、脱落、脱退を余儀なくされた。もし継続しょうとすると、下位の脱退者の補充のため、絶えず新規参加者の勧誘に励むという、脱退と参加者勧誘のいたちごっこの繰り返しになりがちある。したがって、収入も毎月の出費に追いつかず、目的の達成を見ないまま去らざるをえないのが大半で、これが通常のネットワークビジネスといわれている。
【課題を解決するための手段】
【０００４】  課題を解決する手段として本発明は、参加者の毎月の購入、出費を皆無にするため、購入は最初の一度のみとし、毎月の購入、出費をなくし、会員が脱落に追い込まれることを防止した。配当支給の財源は、最初の一度の売上げの配当可能範囲を数段階レベルで分配配当とする、一定期間を想定して参加者増加のスピードに合わせサイクルの大きさを決定付ける。サイクルが、参加のスピードが速くて、大きくなりすぎる時は、その都度ピラミットの頂上部分が満額受給して脱退の際、下位の繰り上がりをなくし、２分割をしてゆく。その結果従来のように、先に参加した登録者が優位的ポジションと高収入を独占し、後で参加した登録者は、犠牲を強いられたようなことは無くなり、全員順次満額収入を得て脱退して行きます。更に続行したければ、また新規に参加も出来、サイクルシステムが完成します。全員満額まで支給を実現できること、脱落者が無い、毎月の出費が無い、会員紹介も無理の無い人数で良い、参加者全員が紹介能力、実績による最高支給額を得られると言う特徴を持った構成である
本発明は以上の構成よりなるサイクル型ネットワークビジネスシステムである。
【発明実施の形態】
【０００５】  本発明のサイクル型ネットワークシステムの実施例を説明します、［図１］参照、システムの進行方法は２の倍率で、組織拡大を図ります。この例では、サイクルシステムの大きさを１４レベルまでとして続け、満額受給を終えたＡ会員から脱退し、下位のＢ，Ｃのうちの先登録者が、Ａの位置に上がってきます、その空いた下位も同じことを繰り返します。参加スピードが加速して、処理能力を超えるほど、サイクルが大きくなったときは、Ａが脱退するとき、繰上げを行わず、Ｂ，Ｃを頂点にして、システムを２分割してゆき、処理能力にあったシステムを増やし、スムーズな運営を図ります。連鎖販売取引を行う上で、全員に満額支給をするためには、組織の穴あき状態は、避けなければなりません、その対策としては、参加する際の説明で、「２人は必ず、出来る自信と、信念のある方の参加」を特に強調するも、全員２人紹介は、あり得ないという観点から、出来る方には４人まで、紹介は認め、応じた配当もしてゆき、３，４人目の紹介者を穴あき状態のところを埋めてゆく、或いは、本部での説明会、広告、宣伝活動での参加者も穴あきに対応して、全員満額支給を実行するあらゆる努力をする必要がある。
［図２］の説明、この例では、売上額１５，０００円で、このうちの支給に当てられる可能財源は、３，５００円と見て、３，５００円を支給段階の４レベルから１４レベルの１１レベルで割った金額の範囲内での支給で、支給に困難をきたすことはあり得なく、健全な運営が行われる。この方法で、１５レベル、１６レベルでも支給し続ることは可能である、たった一度のわずか１５，０００円の売り上げで、数千万円もの高額支給も実行できることをこのシステムは、内臓しております。加えて本システムでは、会員登録後の毎月の商品流通がありませんので、本部も、会員も、仕入れ、在庫、集金、など必要が無く人件費も従来のシステムに比すると驚くほど少なくてすむと言う特徴を有する。
よって従来システムにありがちだった、毎月購入を繰り返す出費も、勧誘した会員の脱落も、会員紹介を何時までも続けることも、登録ポジションの優劣での悩みも無く、全員が紹介入数に応じた最高配当金を満額支給を受けられると言う有用なシステムとなるものである。
【発明の効果】
【０００６】本発明は下記の効果を有する。
１、最初の一度の購入のみで、参加後の毎月の出費を必要としない。
２、したがって会員の脱落が起きようが無い。
３、紹介人数も２人〜４人で、それ以上の必要は無い。
４、定められた最高の紹介配当は、全員満額まで受給できる。
このように、少ない労力と、少ない初期投資で、大きい収益という効率のよさを有するシステムである。
【図面の簡単な説明】
【図１】本発明のシステム説明図
【図２】本発明の紹介配当金例説明図
【図１】
2012243297.tif 000003
【図２】
2012243297.tif 000004
(57)【要約】【課題】  従来の立体明示物には、例えば自動販売機の商品サンプルモデルがあるが、商品サンプルモデルの周囲に照明器具を設置して、夜間や暗い場所でも商品を識別できるようにしているため、電気が無いと夜間や暗い場所では商品が全く識別できないという問題があった。また、電力事情を考え東京都の自動販売機は照明を付ける事が難しく、店舗内も節電で暗くなり、商品の識別が困難になってしまった。【解決手段】  図２に示すように、立体サンプルモデル１の背面に蓄光シート又は蓄光塗装パネルからなる蓄光背面板２を組み合わせた立体明示物とすることで、夜間や暗い場所でも立体サンプルモデルを識別しやすくすることができる。【選択図】図２
2012243296.tif 000002
【特許請求の範囲】
【請求項１】
立体サンプルモデルに蓄光背面板を組み合わせて、夜間や暗い場所でも立体サンプルモデルを視認しやすくした立体明示物。
【発明の詳細な説明】
【技術分野】
【０００１】電気を使わなくても夜や暗い場所でも識別し易い立体明示物。
【背景技術】
【０００２】従来の立体明示物には、例えば自動販売機の商品サンプルモデルがあるが、商品サンプルモデルの周囲に照明器具を設置して、夜間や暗い場所でも商品を識別できるようにしているものがある。
【発明の開示】
【発明が解決しようとする課題】
【０００３】以上に述べた従来の立体明示物では電気が無いと夜間や暗い場所では商品が全く識別できない状態であった。また、電力事情を考え東京都の自動販売機は照明を付ける事が難しく、店舗内も節電で暗くなり、商品の識別が困難になってしまった。【０００４】本発明は電気を使わず、夜間や暗い場所でも立体サンプルモデルを識別し易くする事を目的とするものである。
【課題を解決するための手段】
【０００５】図１に示すように、立体サンプルモデル１の背面に蓄光シート又は蓄光塗装パネルからなる蓄光背面板２を組み合わせることで、立体サンプルモデルを識別しやすくした立体明示物である。
【発明の効果】
【０００６】全く電気を必要とせずに、夜間や暗い場所でも立体サンプルモデルが識別し易くなる。
【実施例】
【実施例１】
【０００７】立体サンプルモデル１に、蓄光背面板２を接着して一体化し、店舗や自動販売機の商品サンプルとして用いる。
【実施例２】
【０００８】立体サンプルモデル１は、図１のような飲料の商品サンプルに限らず、動物やキャラクターのモデルとして作成し、一般家庭などで用いる照明器具とすることもできる。
【実施例３】
【０００９】または、蓄光背面板２を店舗や自動販売機の展示室に取付け、その前面に一つもしくは複数個の立体サンプルモデル１を取付けて商品サンプルとして用いる。立体サンプルモデル１の取付けには、はがせる両面テープや弱粘着の接着剤を用い、着脱可能とすることで、立体サンプルモデル１の変更が可能となる。
【図面の簡単な説明】
【００１０】
【図１】本発明の実施形態を示す説明図
【図２】本立体明示物を斜め前方から見た外観図
【符号の説明】
【００１１】１  立体サンプルモデル
２  蓄光背面板
【図１】
2012243296.tif 000003
【図２】
2012243296.tif 000004
(57)【要約】【課題】現在ある乾電池は単１形、単２形、単３形乾電池と、それぞれの電気機具に、それぞれの電池が必要である電池を用意、準備するのも大変である。又、ラジカセ等に電池を着脱するとき、ヒモをしいたり引っぱりするのがめんどうである。単１、単２形乾電池は重たくて、ゴミが大量に出る【解決の手段】単３形乾電池を用いて、単１形、単２形乾電池の代用できるように、内経が単３形電池がは入る太さで、外経が単１形、単２形の太さの円筒を用いて、単１は長さが不足するので、単１と単３の長さの不足する分の電極を付けた。単２は電極は０ｃｍである。ラジカセ等のヒモをしいたりしなくて良いように約１．５ｃｍ程度、本発明に電池より短かくした。また＋の断面を少し内側にヘコミがあるようにして、指がかかるようにした。単３充電式乾電池を使用すると、大量資源の削減と大量乾電池ゴミを減少できる。【選択図】図３
2012243751.tif 000002
【特許請求の範囲】
【請求項１】
本発明は内経が、単３形乾電池がちょうど、は入り、外経が、単１形、単２形の大きさの筒状のもので、片方▲−▼の方に電極をたしたもので、単２形は電極の厚さは０である
▲＋▼の方の断面は少し内側に向いていて、指がかかるようになっていて、しかも、単３形乾電池が▲＋▼の断面より、１ｃｍ〜２ｃｍ程度はみ出るように作られた、丸形乾電池変換器である。
単１形、単２形１個用から、多数用まである。
【発明の詳細な説明】
【技術分野】
【０００１】  この発明は内形が単３乾電池が、は入り、外経が、単１形、又は単２形乾電池の大きさの円筒形と、電極からなる。丸形乾電池変換器である、ただし、単２形乾電池の場合、電極は０である。
【背景技術】
【０００２】  従来、乾電池は単１形は単１形、単２形は単２形をそれぞれの指定された懐中電燈やラジカセ等に使用するように、製造されています。そのため、乾電池を１つ１つの機具に合わせて、それぞれの乾電池を準備、用意する必要があります。乾電池を何種類も準備、用意するのが大変です。
【発明の開示、発明が解決しようとする課題】
【０００３】  乾電池を、それぞれの電気機具に合わせて、何種類も準備、用意するのは大変である、また、何年もすると使用しなくても乾電池が使用できない、さびて、機具自体が使えなくなったりする。ラジカセ等に乾電池を入れる前にヒモをしいて、乾電池を取り出すとき、ヒモを引っぱって取り出す。
ヒモをしいたり、引っぱったりするのは大変めんどうである。本発明は以上のような欠点をなくすためのものである。
【課題を解決するための手段】
【０００４】  単１形乾電池を使用する懐中電燈やラジカセ等に単３形乾電池を使用して、単１形乾電池を使用しなくて良いようにする。内経が単３形乾電池が、ちょうど入れられる太さで外経が単１形乾電池の太さの円筒状のものを用意する単３形、乾電池と単１形乾電池の長さの違う処は、片方に電極を付けて補う。これにより、単１形乾電池が不用になる。単２形乾電池も内経が単３形乾電池がちょうどは入る太さで、外経は単２形乾電池の太さにする。長さは単３とほぼ等しいので、電極は０である。
次にラジカセ等に使用する、単１形、単２形を使用するとき、ヒモをしいて、使用する必要がある。これは乾電池を取り出すとき、ヒモがないと、大変であるからである。そのヒモをしいたり、引っぱりする手間をはぶくため、本発明は、単３形乾電池の▲＋▼の部分が約１ｃｍ〜２ｃｍ本発明より、はみ出すようにした。これにより、単３形乾電池が、しっかり、電極にはまっているか確認しやすく。しかも、本発明の▲＋▼極の断面を少し内側に斜めするか、すべらなくしてあるため指がかかり。それで断面に指をかけて、上に少し引き上げるだけで、簡単に電池を取り出せる。これで、ヒモをしいたり、引っぱりしなくて良いのである。
【発明の効果】
【０００５】  単３形乾電池を用意、準備するだけで、単１形、単２形乾電池が不用である。
ラジカセ等に乾電池を使用するとき、ヒモを気にしなくて良い。
簡単に設置し、簡単に取り出せる。又は、単３形充電式乾電池を使用すると、大量の資源の削減と、乾電池ゴミの減少に寄与する。
【発明を実施するための最良の形態】
【０００６】以下、本発明の実施例について説明する。単３形乾電池の太さより、ちょっと大きい内経と単形乾電池の太さと同等の外経の筒状の非電通筒を用いる。
長さは単１形２個用の丸形乾電池変換器の実施例として、単１形乾電池を２個合わせた長さと単３形乾電池を２個合わせた長さの差の分だけ、電極を用意する。
丸形乾電池変換器の−の方向に電極を付ける。
丸形乾電池、単１形２個用の場合、約、１ｃｍ〜２ｃｍ程度、単３形乾電池の＋の部分がはみ出るようにする。
＋の断面は少し、内側に斜めにして、指がかかるようにする。−の断面は約２．２ｃｍの電極を入れる。
以上のように丸形乾電池変換器を使い、単３形乾電池を▲−▼の電極から入れて、２個用の場合は２個入れて、単１形乾電池として使用する。
ラジカセ等には単３乾電池の出ている＋の電極を−のバネの方に少し押しながら、＋の電極をはめる。
取り出すときは、丸形乾電池変換器は１ｃｍ〜２ｃｍ短かいので、指をかけて、上に少し引きあげれば乾電池を簡単に取り出せる。
【図面の簡単な説明】
【０００７】
【図１】本発明の斜視図
【図２】本発明の断面図
【図３】本発明の使用例図（２個用）
【符号の説明】
【０００８】１、本体
２、電極
３、▲＋▼の断面
４、長さ．
５、外経の太さ
６、内経の太さ．
７、電池のはみ出し長さ。
【図１】
2012243751.tif 000003
【図２】
2012243751.tif 000004
【図３】
2012243751.tif 000005
(57)【要約】      （修正有）【課題】2012150131.tif 000022【解決手段】2012150131.tif 000023【選択図】図１
2012150131.tif 000002
【特許請求の範囲】
【請求項１】
2012150131.tif 000019
【請求項２】
2012150131.tif 000020
【請求項３】
2012150131.tif 000021
【発明の詳細な説明】
【技術分野】
【０００１】
2012150131.tif 000003
【背景技術】
【０００２】
2012150131.tif 000004
【０００３】
2012150131.tif 000005
【０００４】
2012150131.tif 000006
【０００５】
2012150131.tif 000007
【０００６】
2012150131.tif 000008
【非特許文献３】
2012150131.tif 000009
【発明の開示】
【発明が解決しようとする課題】
【０００７】
2012150131.tif 000010
【０００８】
2012150131.tif 000011
【課題を解決するための手段】
2012150131.tif 000012
【図面の簡単な説明】
【０００９】
【図１】
2012150131.tif 000013
【図２】
2012150131.tif 000014
【図３】
2012150131.tif 000015
【図４】
2012150131.tif 000016
【図５】
2012150131.tif 000017
【符号の説明】
2012150131.tif 000018
【図１】
2012150131.tif 000024
【図２】
2012150131.tif 000025
【図３】
2012150131.tif 000026
【図４】
2012150131.tif 000027
【図５】
2012150131.tif 000028
(57)【要約】      （修正有）【課題】考古学の遺跡発掘調査、建築現場、デザイン工房などで使用する、高所から撮影する、俯瞰撮影装置において、ポールの先端にカメラを取り付け、手で保持しながら、撮影する際に、被写体にカメラが接触して破損することのない、軽量で、堅牢、シンプル構造のカメラ保護部材を提供する。【解決手段】矩形形状のワイヤーで構成されるカメラ保護部材を、カメラの上部及び前部を囲う形で、固定する。転倒防止部材は、強度がある輪状のロープと、一端にはロープの輪の大きさを調節する部材と、別の一端には、開閉機構の付いたリングで構成される。装置を構成するポールには、孔付きクランプが取り付けられており、本孔に開閉リングを通し、更に、ロープの輪の大きさを調節して手を通し、装置と該装置を保持する手を繋げる。誤って手から装置が放れた場合にも、該部材が該装置を引っ張る形で保持し、該装置の転倒を防止する。【選択図】図１
2012150414.tif 000002
【特許請求の範囲】
【請求項１】
考古学の遺跡発掘調査、工事現場、デザイン工房などで使用する高所から写真撮影するためのポールの先端にカメラと、ポールの下端に設置用のプレートと、手元でカメラの画像を確認する画像モニタと、更に、手元でカメラシャッターを押す遠隔シャッターが付いており、該ポールを手で保持しながら、カメラを被写体に向け撮影を行う非自立型の俯瞰写真撮影装置において、該ポール転倒時に該カメラが地面に接触したり、近接撮影時に該カメラが被写体に接触することを防ぐため、該カメラの上部及び前部を、矩形形状のワイヤーで囲う構造を持つワイヤー式カメラ保護部材と該ポールを保持している手を放した場合に該ポールが転倒しないようにするため、該ポールと該ポールを保持する手の手首を連結するロープとか鎖などから構成される転倒防止部材とを有することを特徴とする非自立型俯瞰写真撮影装置。
【発明の詳細な説明】
【技術分野】
【０００１】  本考案は、考古学発掘現場、工事現場、デザイン工房などで使用する俯瞰撮影装置に関するものである。
【背景技術】
【０００２】  考古学の遺跡発掘調査、工事現場、デザイン工房などで使用する、高所から写真撮影する俯瞰写真撮影装置において、該装置には、図１のように、ポールの先端にカメラと、ポールの下端に設置用のプレートと、手元でカメラの画像を確認する画像モニタと、更に、手元でカメラシャッターを押す遠隔シャッターが付いている。
該装置の操作では、該ポールを手で保持しながら、カメラを被写体に向け撮影を行う。【０００３】  該ポールを手で保持し、被写体の方向に向け撮影する際に、被写体に近づけた該カメラが被写体と接触して、カメラが破損する恐れがある。又、該装置を持ち運ぶ際に、カメラの重量により該ポールの先端が下がり、該カメラが地面に接触し、汚れたり、破損することがある。【０００４】  該装置は非自立式で、手で保持するため、手が放れた場合に、該装置が転倒し、人や周囲の物に当たり、ケガや破損を起こす可能性がある。
【発明の開示】
【発明が解決しようとする課題】
【０００５】  該ポールの先端に取り付けられた該カメラが直接に被写体、地面などと接触しないように、軽量で、堅牢、且つ、ポールの先端に取り付けられるシンプル構造のカメラ保護部材が必要である。【０００６】  該ポールから誤って手を放した場合にも、該装置が倒れないように、軽量で、堅牢、且つ、シンプル構造の転倒防止部材が必要である。
【課題を解決するための手段】
【０００７】  カメラ保護部材は、該装置が転倒した場合にも変形しない強度を持つ太さのワイヤーで、カメラ全体を覆うように組み付ける。図２、図３、図４では、カメラの上側と前方を保護するために、矩形形状のワイヤーを配置している。ワイヤーの形状は、カメラを覆う形ならば何でも良く、例えば、円形、楕円形も用いることができる。通常、ワイヤーはカメラ雲台に固定するが、或いは、ポールに固定することもできる。ワイヤーを用いたシンプル構造のため、本部材は、軽量、堅牢で、且つ、安価な価格で、カメラを保護することができる。【０００８】  転倒防止部材は、図５のように、強度のあるロープを輪状にし、一端には、開閉機構の付いたリングを、もう一端には、ロープの輪の大きさを調節できる部材を取り付ける。
該ポールの手持ち部分には、孔付きクランプが取り付けられており、本孔に該リングを通し、更に、ロープの輪の大きさを調節して手に固定される。材料については、ロープ以外にも、鎖、ゴム、ストリップ状の布などの自由に変形する材料を持ちうることもできる。
開閉機構の付いたリングは、取り付け、取り外しを簡単に行うもので、開閉機構の付いたリングを介さずに、ロープを直接、穴付きクランプ、或いは、ポールに結ぶこともできる。
【発明の効果】
【０００９】  該装置のポール先端にカメラとカメラ保護部材を取り付け、垂直に立てた状態から、地面に転倒させた。ワイヤーは変形するが、カメラが地面に接触することはなく、カメラが破損することはなかった。又、カメラを被写体に近づけて撮影する場合、極端な突起がある被写体以外では、ワイヤーが被写体と先に接触し、カメラと被写体が直接接触することはなかった。【００１０】  転倒防止部材の操作中に、該ポールから誤って手を放しても、本部材が転倒を防止する。ロープは長さが３０ｃｍほどで、該装置が倒れかかる時点で再保持されるため、手に大きな衝撃がかかることはない。
本転倒防止部材は、軽量で、強度があり、且つ、安価な価格で、該装置の転倒を防止することができた。
【実施例】  考古学の発掘現場、建築現場、デザイン工房などで使用する俯瞰撮影装置において、カメラ保護部材を取り付けることにより、カメラと被写体や地面との直接の接触がなくなり、カメラを安全に破損なく使用できるようになる。又、転倒防止部材を取り付けることにより、該装置から誤って手が放れても、該装置は転倒することなく、周辺の人間や器物に損害を与えることがなくなる。
【図面の簡単な説明】
【図１】は、俯瞰写真撮影装置の全体図である。
【図２】は、カメラ保護部材の上面詳細図である。
【図３】は、カメラ保護部材の側面詳細図である。
【図４】は、カメラ保護部材の正面詳細図である。
【図５】は、転倒防止部材の詳細図である。
【符号の説明】  １：ポール
２：ポール連結クランプ
３：設置プレート
４：ポール＆プレート接合ピン
５：デジタルカメラ
６：カメラ雲台
７：カメラビュー画像モニタ
８：カメラビュー画像モニタ用ケーブル
９：リモコンシャッタ
１０：リモコンシャッタ用ケーブル
１１：カメラ保護部材
１２：転倒防止部材
１３：ポール
１４：カメラ保護部材＃１
１５：カメラ雲台
１６：デジタルカメラ
１７：カメラ保護部材＃２
１８：開閉機構付きリング
１９：孔付きクランプ
２０：輪サイズ調整部材
【図１】
2012150414.tif 000003
【図２】
2012150414.tif 000004
【図３】
2012150414.tif 000005
【図４】
2012150414.tif 000006
【図５】
2012150414.tif 000007
(57)【要約】      （修正有）【課題】ピアノの調律において、ピアノの基音の弦を振動させながら一方の手で基音の音叉を叩けるチューニングハンマーを提供する。【解決手段】チューニングハンマーの柄４の一部に溝を形成し溝の中に音叉１と音叉１を振動させる叩きバネ２を前記溝に取り付ける。これにより片手で前記チューニングハンマーの操作と前記音叉１を振動させられる。音叉１の振動はピアノ本体により増幅され発生するうなりの確認が容易となり音叉１を繰り返し振動させる事を軽減できる。またもう一方の手で他の作業を手掛けることができる。【選択図】図１
2012150416.tif 000002
【特許請求の範囲】
【請求項１】
ピアノの調律に使用するチューニングハンマーの柄４の一部に溝７を形成し、当該溝７の中にチューニング用の音叉１と当該音叉１を振動させるための叩きバネ２を前記溝７に取り付けた構造を持つチューニングハンマー。
【発明の詳細な説明】
【技術分野】
【００１】  本発明はピアノの弦を調律する道具として用いるチューニングハンマーに関するものである。
【背景技術】
【００２】  従来ピアノの調律は、調律師が基音の音叉を叩いて当該音叉の振動音と、ピアノの基音の弦の振動音から発生する当該うなりを確認しながらチューニングハンマーで当該ハンマーチップに当該ピアノの弦を巻き付けている当該チューニングピンを差し込み回しながら当該ピアノの弦の基音を調律することが一般的である。
【発明の開示】
【発明が解決しようとする課題】
【００３】  しかしながら、調律師は一方の手で当該音叉を手に持ち自身の膝などで叩いて振動させた後耳に当て当該振動音を聴きながら前記ピアノの基音の当該弦の振動とから発生する当該うなりを確認しながらもう一方の手で前記ピアノの基音のチューニングピンを前記チューニングハンマーで回して調律する。しかし前記音叉の振動音は小さく、減衰した時は再度前記音叉を叩いて振動させなくてはならない。この作業で両手が使われる。【００４】  このように従来のピアノの調律方法では前記音叉の音が微弱であるため頻繁に当該音叉を叩いて振動を繰り返えさなくてはならい事とその作業の間は当該音叉を手で持っていなくてはならないという課題があった。
【課題を解決するための手段】
【００５】  上記課題を解決するために請求項１の発明は、ピアノの調律に使用するチューニングハンマーの柄４に溝７を形成し、当該溝７の中に当該チューニング用の音叉１と当該音叉１を振動させるための叩きバネ２を前記溝７に取り付けた構造を持つチューニングハンマーである。【００６】  この構造によれば、前記叩きバネ２を引っ張り放して前記音叉１を叩くと当該振動は前記チューニングハンマーのハンマーチップ５と前記ピアノの調律対象の弦の当該チューニングピンを経由して前記ピアノ本体により増幅させることができる。さらに当該音叉１を再度振動させるときは当該チューニングハンマーを持っている手で当該叩きバネ２を操作して当該音叉１を振動させられる。
【発明の効果】
【００７】  請求項１の発明によれば、前記調律対象の弦の鍵盤を叩いて振動させ、片手で前記チューニングハンマーの操作と前記溝７の中の前記音叉１を前記叩きバネ２により振動させることが出来ると共に当該音叉１の振動は前記ピアノ本体により増幅されるので発生する当該うなりの確認が容易になる。
【発明を実施するための最良の形態】
【００８】  本発明を実施するための最良の形態を添付図に基づいて以下に説明する。【００９】  図１は本発明の構造を持つチューニングハンマーである。【０１０】  ここで本発明の構造について図１を基に説明する。前記チューニングハンマーの柄４の一部に前記チューニング用の音叉１と、前記音叉１を振動させるための前記叩きバネ２を収納できる溝７を設ける。前記叩きバネ２には前記音叉１に接触する部分にゴム３が取り付けてあり金属音の発生を抑制している。前記音叉１と前記叩きバネ２はねじ６で柄４に固定される。【０１１】  ここで動作について図１を基に説明する。前記音叉１を前記叩きバネ２を引き上げてから放して前記音叉１を叩いて振動させることができる。ここで前記柄４は叩きバネ２を指で引き上げ易い様に切り込みを形成してある。当該音叉１の振動は前記チューニングハンマーの当該ハンマーチップ５と前記ピアノの調律対象の当該チューニングピンを介して前記ピアノ本体にて増幅される。
【実施形態の効果】
【０１２】  このように本発明の構造によれば前記音叉１の音と前記ピアノの弦の音とから発生する当該うなりの確認が容易となると共に片手で当該音叉１の操作とチューニングハンマーの操作をできる。また従来両手で行っていた作業が片手で出来るためもう一方の手により他の作業を手掛けることが出来るので調律が確実かつ迅速にできる。
【他の実施形態】
【０１３】  本発明の構造は図５の様に前記音叉１と前記叩きバネ２を柄４内のシャフト８に取り付けることも可能であり前記叩きバネ２を引き上げ放して前記音叉１を振動させると金属のシャフト８からハンマーチップ５を介してより効果的に前記ピアノの本体に振動を伝達できる。
【図面の簡単な説明】
【０１４】
【図１】本発明に係る構造を持つチューニングハンマーの正面図。
【図２】チューニングハンマーの柄の平面図。
【図３】音叉の平面図。
【図４】叩きばねの平面図。
【図５】本発明に係る別構造を持つチューニングハンマーの操作図。
【符号の説明】
【０１５】１  音叉
２  叩きバネ
３  ゴム
４  柄
５  ハンマーチップ
６  ねじ
７  溝
８  シャフト
【図１】
2012150416.tif 000003
【図２】
2012150416.tif 000004
【図３】
2012150416.tif 000005
【図４】
2012150416.tif 000006
【図５】
2012150416.tif 000007
(57)【要約】【課題】家庭で作る料理ではカロリーを算出する場合、個々の計算をして時間と手間がかかるため、多くの家庭ではカロリー計算をすることなく料理が食卓に並ぶことが通常である。  本発明は出来上がった料理のカロリーを算出するためのカロリーチェッカーを提供する。【解決手段】  本体の先端部に塩分・油分・糖分の各センサーを設け、本体中央部にカメラのレンズ・カロリーチップ・表示部・操作ボタン・シャッターを設ける。後部には電源スイッチを設ける。【選択図】図１
2012150777.tif 000002
【特許請求の範囲】
【請求項１】
本体の先端部に塩分・油分・糖分の各センサーを設け、カメラのレンズ・カロリーチップ・表示部・操作ボタン・電源スイッチ・シャッターを設けたカロリーチェッカー。
【発明の詳細な説明】
【技術分野】
【０００１】  本発明は、食事の際にカロリーを量り日々の健康管理・維持・増進に関するものである。
【背景技術】
【０００２】  外食では、カロリー表示のあるメニューが多く利用され便利になってはきているものの、多くの家庭ではカロリー計算をすることなく料理が食卓に並ぶことが通常である。家庭においても簡単にカロリー計算を可能にすることによって日々の健康管理の一つの指標となる。
【発明の概要】
【発明が解決しようとする課題】
【０００３】  家庭で作る料理ではカロリーを算出する場合、個々の計算をして時間と手間がかかるため、多くの家庭ではカロリー計算をすることなく料理が食卓に並ぶことが通常である。
本発明は、以上の問題点を解決するためになされたものである。
【課題を解決するための手段】
【０００４】  本体の先端に塩分・油分・糖分センサーを設け、中央部にカメラのレンズ・カロリーチップ・表示部・操作ボタン・シャッターを設け、後部には電源スイッチを設ける。
以上の構成よりなるカロリーチェッカー。
【発明の効果】
【０００５】  従来不可能とされていた出来上がった料理からのカロリー算出を本発明により簡単にカロリー表示が出来るようになる。
【図面の簡単な説明】
【０００６】
【図１】  本発明の斜視図
【図２】  本発明の斜視内部図
【発明を実施するための最良の形態】
【０００７】  以下、本発明の実施の形態を図１について説明する。
（イ）本体（１）の下部にカロリーチップ（８）の挿入部を設け、後部に電源スイッチ（３）を設け、操作ボタン（９）を設け、表示部（２）を設ける。
（ロ）本体（１）の前方部に塩分センサー（４）・油分センサー（５）・糖分センサー（６）を設ける。
（ハ）本体（１）の下方部にカメラ（７）を設け、上方部にシャッター（１０）を設ける。
（ニ）内部は基板（１１）を設け個々に配線（１２）し、電池（１３）を装着する部位を設ける。
本発明は以上のような構造である。
本発明を使用するときは、本体（１）にカロリーチップ（８）を挿入し電源スイッチ（３）を入れ、操作ボタン（９）にて表示部（２）に設定し料理に先端を差し込む。塩分センサー（４）、油分センサー（５）、糖分センサー（６）で計測し表示部（２）に読み込ませたら料理にカメラ（７）を向けシャッター（１０）を押し撮影する。操作ボタン（９）を操作し表示部（２）にカロリーを表示させる。必要に応じ塩分・油分・糖分も表示する事が出来る。
【符号の説明】
【０００８】  （１）本体（２）表示部（３）電源スイッチ（４）塩分センサー（５）油分センサー（６）糖分センサー（７）カメラ（８）カロリーチップ（９）操作ボタン（１０）シャッター（１１）基板（１２）配線（１３）電池
【図１】
2012150777.tif 000003
【図２】
2012150777.tif 000004
(57)【要約】【課題】  従来の電子書籍装置では片手での操作が難しい場合があった。また、高速かつ連続でページをめくりながらの速読も困難であった。そこで、片手で素早く操作を行うための機能を考えた。【解決手段】  電子書籍装置の側面に前後に可動、もしくはセンサーを有する突起を設置する。その突起をはじく、傾ける、押すことによりその動作による圧力の方向に合わせてページをめくる、ページを戻す動作を可能にする。また、突起は電子書籍装置の片方の側面に設置されるが、左右の手どちらでも操作を可能とするために電子書籍装置の上下を反転させた場合には画面に表示される文字も電子書籍装置の上下に合わせて反転する。【選択図】図１
2012150774.tif 000002
【特許請求の範囲】
【請求項１】
電子書籍装置の側面に可動式、もしくはセンサーを有する突起を設置する。
【請求項２】
上記の可動式、もしくはセンサーを有する突起を用いて、その突起が感知した圧力の方向によってページめくり動作、ページ戻し動作を行う。
【請求項３】
突起は電子書籍装置の片方の側面に設置されるが、左右の手どちらでも操作を可能とするために電子書籍装置の上下を反転させた場合には画面に表示される文字も電子書籍装置の上下に合わせて反転する。
【発明の詳細な説明】
【技術分野】
【０００１】  この発明は、電子書籍装置におけるページめくり操作を片手で容易に行うための機能に関する。
【背景技術】
【０００２】  従来の電子書籍装置ではページをめくる方法として画面をタッチしてスライドさせる方法が主流である。
【先行技術文献】
【０００３】
【特許文献１】
【非特許文献１】
【発明の概要】
【発明が解決しようとする課題】
【０００４】  これは次のような欠点があった。
（イ）片手での操作が難しい。
（ロ）高速かつ連続でページをめくる操作が困難。
【課題を解決するための手段】
【０００５】  電子書籍装置の側面に前後に可動する、もしくはセンサーを有する突起を設置する。その突起をはじく、もしく押す方向によりページをめくる、ページを戻す動作を可能にする。
また、突起は電子書籍装置の片方の側面に設置されるが、左右の手どちらでも操作を可能とするために電子書籍装置の上下を反転させた場合には画面に表示される文字も電子書籍装置の上下に合わせて反転する。
【発明の効果】
【０００６】  電子書籍装置の側面に設置した突起をはじく、もしくは押すことでページをめくることが出来るため、片手で電子書籍装置を持ちながら指での操作が可能である。また、突起を一定方向に押し続けることにより連続でページをめくり続けることが可能。加えて電子書籍装置の上下反転に合わせて画面に表示される文字も反転するため、左右どちらの手でも操作が可能である。
【図面の簡単な説明】
【０００７】
【図１】本発明の正面図である。
【図２】本発明の側面図である。
【発明を実施するための形態】
【０００８】  電子書籍装置の側面にプラスチックあるいは金属でできた前後に可動する、もしくはセンサーを有する数ミリの突起を設置する。その突起を指で前後に動かす、もしくは圧力をかけることによりページをめくる動作、ページを戻す動作を行う。この突起の設置により片手で電子書籍装置を持ちながら指での操作が可能である。また、突起に圧力をかけ続けることにより連続でページをめくることが可能。加えて電子書籍装置の上下反転に合わせて画面に表示される文字も反転するため、左右どちらの手でも操作が可能である。
具体的な実施形態の効果としては、片手での操作を容易にしたことにより電車内などでつり革につかまったままでも電子書籍を読むことができる。
また、突起に圧力をかけ続けることにより連続でページをめくることができるため、読みたい箇所を、話を追いながら素早く探すことができる。
【符号の説明】
【０００９】      １  電子書籍装置
２  操作用の突起
３  電子書籍用装置側面
【図１】
2012150774.tif 000003
【図２】
2012150774.tif 000004